(57)【特許請求の範囲】
【請求項１】
製本した本の表表紙又は裏表紙の見開き部に、袋入りのトレーディングカードを収納してなるカード収納部材を貼着したカード付き本であって、カード収納部材は、段ボールとボール紙の積層体をその段ボール側を内向きに二つ折りして貼り合わせることにより、段ボールに形成された打ち抜き孔の部分が向き合って形成される収納部を有するタイプのもので、段ボールの厚みはカード入りの袋よりも小さく、カード収納部材には、カード入りの袋が１つ入る収納部がその長手方向が一致するように複数並んで形成されており、表側となる一方の段ボールには収納部ごとの打ち抜き孔が間にブリッジ部分を残して形成されているとともに、貼着側となる他方の段ボールには複数の収納部に渡って１個の大きな打ち抜き孔が形成されており、一方の段ボールに積層したボール紙には中の袋が見える窓が設けられており、カード収納状態において少なくともブリッジ部分は糊付けされていないことを特徴とするカード付き本。
【請求項２】
本の掲載内容と関連のある情報が印刷されているトレーディングカードが袋に封入されている請求項１に記載のカード付き本。
【発明の詳細な説明】
【０００１】
【発明の属する技術分野】
本発明は、人気タレントやスポーツ選手などを印刷したカードであって、ファンの人達が収集したり、或いは手に入りにくいものを交換したりする所謂トレーディングカードを収納した形態のカード付き本に関するものである。
【０００２】
【発明が解決しようとする課題】
従来より、この種のトレーディングカードとして、アイドル、歌手、野球選手、サッカー選手、プロレスラー、相撲の関取、競馬の馬、漫画のキャラクター等を載せたカードが広く出回っており、ファンの人達の間では収集したり交換したりして楽しまれている。このようなトレーディングカードは、書店やコンビニエンスストアなどの店頭にて複数枚を袋に入れた形態で販売されており、その場合、通常は箱状のケースの中に並べて陳列されている。このため、店頭であまり目立たなかったり、スペースを取ったりするという問題があった。さらには、トレーディングカード自体が小さいため、これを単に袋に入れた形態では、盗難に合いやすいという事情もあった。
【０００３】
本発明は、上記のような問題点に鑑みてなされたものであり、その目的とするところは、トレーディングカードの販売を促進する新しい形態を採ったカード付き本を提供することにある。
【０００４】
【課題を解決するための手段】
上記の目的を達成するため、本発明に係るカード付き本は、製本した本の表表紙又は裏表紙の見開き部に、袋入りのトレーディングカードを収納してなるカード収納部材を貼着したカード付き本であって、カード収納部材は、段ボールとボール紙の積層体をその段ボール側を内向きに二つ折りして貼り合わせることにより、段ボールに形成された打ち抜き孔の部分が向き合って形成される収納部を有するタイプのもので、段ボールの厚みはカード入りの袋よりも小さく、カード収納部材には、カード入りの袋が１つ入る収納部がその長手方向が一致するように複数並んで形成されており、表側となる一方の段ボールには収納部ごとの打ち抜き孔が間にブリッジ部分を残して形成されているとともに、貼着側となる他方の段ボールには複数の収納部に渡って１個の大きな打ち抜き孔が形成されており、一方の段ボールに積層したボール紙には中の袋が見える窓が設けられており、カード収納状態において少なくともブリッジ部分は糊付けされていないことを特徴とする。
【０００５】
そして、上記構成のカード付き本において、本の掲載内容と関連のある情報が印刷されているトレーディングカードが袋に封入されていることが好ましい。
【０００６】
【発明の実施の形態】
図１はカード収納部材を構成する積層体の一例を示した斜視図である。同図に示される積層体Ａは、打ち抜き孔が形成された段ボール１０と、その段ボール１０の下側に貼り合わされたボール紙２０とからなる。ここで、段ボールは、ある程度の厚みを有する板紙や、薄紙を積層して厚手としたものに比べると、資材コストの面で好ましく、ボール紙は、後述する段ボールの孔に収納したカードが外れるのを防ぐとともに、盗難を防止できる点で好ましい。
【０００７】
図１に例示した積層体Ａは、３つの長方形状の収納部を形成しており、この内の２つは長手方向（図では縦方向）が沿うように形成している。長方形が縦を向いているのは、縦方向の印刷を付したカードだからであり、実際には横向きのカードもある。なお、トレーディングカードは元来長方形状でサイズも規格されたものである。しかして、図１の積層体Ａでは、段ボール１０の左半分にカード入りの袋が１つ入る小サイズの打ち抜き孔１１と２つ並んで入る大サイズの打ち抜き孔１２とが形成されており、ボール紙２０はこれらの打ち抜き孔１１，１２を下側から塞いでいる。一方、段ボール１０の右半分には、小サイズの打ち抜き孔１１と同サイズの打ち抜き孔１５と、大サイズの打ち抜き孔１２を中央のブリッジ部分ｂで２分割するように上下２つの打ち抜き孔１６，１７が形成されており、ボール紙２０にはこれらの打ち抜き孔１５，１６，１７の位置に対応してそれよりも一回り小さな窓２１，２２，２３が形成されている。そして、積層体Ａを縦方向の中央折線ａで二つ折りできるようにするため、段ボール１０の上面側のライナー部分だけを残してボール紙２０の側から切込み線ｘが形成されている。なお、中心折線ａは積層体Ａを二つ折りするまで目で見えないが、図では便宜上実線で示してある。
【０００８】
図１に示した構成の積層体Ａに袋入りのトレーディングカードを収納してカード収納部材を形成する手順は次のようである。まず、複数枚のトレーディングカードを収納してなる袋Ｐを３つ準備する。この場合の包装形態としては特に限定はないが、通常は簡便なピロー包装でよい。そして図２に示すように、積層体Ａの左半分における打ち抜き孔１１，１２に挿入するようにしてボール紙２０の上に袋Ｐを載置する。この場合、小サイズの打ち抜き孔１１のところには１つの袋Ｐを載せるが、大サイズの打ち抜き孔１２のところには２つの袋Ｐを並べて載置する。次いで、中央折線ａのところで積層体Ａの右半分を折り曲げ、左半分に重ねて向かい合った段ボール１０のライナー同士を糊で貼り合わせる。この場合、ブリッジ部分ｂは袋Ｐの端部を押さえるので、少なくともこのブリッジ部分ｂは糊付けしないようにする。つまり、段ボール１０の厚みは、トレーディングカードを封入した袋Ｐの厚みよりも小さく設定されている。そうすると、大サイズの打ち抜き孔１２は２個の袋Ｐを載置するにあたって勝手がよく、また他方の打ち抜き孔１６，１７を合わせた際に、この打ち抜き孔１６，１７と向き合う打ち抜き孔１２によって段ボール１０の２層分の厚みの収納空間が形成され、しかもブリッジ部分ｂが存在することで、袋Ｐは所定位置に保持されることになる。
【０００９】
なお、トレーディングカードのサイズは規格されているので、縦長のカードで２枚並べる場合、本のサイズから、分離して収納できない制約があるときには、大サイズの打ち抜き孔を使って複数個のカードを収納することで、設計上便利であり、載置時にも支障がない。
【００１０】
このようにして作成したカード収納部材Ｓは、図３に示すように、中綴製本した本Ｂの表表紙又は裏表紙の見開き部に貼着した仕様にして本Ｂと一体化する。
【００１１】
ここで、トレーディングカードの袋は、これまで主に内部が見えないフィルムで形成されており、キャラクター等（例えば野球選手であれば球団マーク）を袋に印刷したものが殆どである。これは中身の複数枚のカードがシャッフルされて袋ごと同一ではないという要素を付加したものである。つまり、くじ的要素を付加したものである。したがって、かかる袋であれば、窓２１，２２，２３を通して袋Ｐの表面のみが目視し得る。本発明のようにカード収納部材Ｓに実質的に埋め込まれているのであれば、むしろ袋を透明にしてフィルムを通してカード自体を見えるようにしても、くじ的要素を損なうものではない。したがって、フィルムを透明にしてもよく、その時は一枚目のカードが目視できることになる。
【００１２】
図４は図１に示した積層体の変形例を示した斜視図である。この図に示される積層体Ａも、打ち抜き孔が形成された段ボール１０と、その段ボール１０の下側に貼り合わされたボール紙２０とからなる。
【００１３】
図４に例示した積層体Ａでは、段ボール１０の左半分にカード入りの袋が２つ並んで入る大サイズの打ち抜き孔１２が２列に形成されており、ボール紙２０はこれらの打ち抜き孔１２を下側から塞いでいる。一方、段ボール１０の右半分には、大サイズの打ち抜き孔１２を中央のブリッジ部分ｂで２分割するように上下２つの打ち抜き孔１６，１７が２列に形成されており、ボール紙２０にはこれらの打ち抜き孔１６，１７の位置に対応してそれよりも一回り小さな窓２２，２３が形成されている。そして、積層体Ａを縦方向の中央折線ａで二つ折りできるようにするため、段ボール１０の上面側のライナー部分だけを残してボール紙２０の側から切込み線ｘが形成されている。なお、中央折線ａは積層体Ａを二つ折りするまでは目で見えないが、図では便宜上実線で示してある。
【００１４】
図４に示した構成の積層体Ａに袋入りのトレーディングカードを収納してカード収納部材を形成する手順は次のようである。まず、複数枚のトレーディングカードを収納してなる袋Ｐを４つ準備する。この場合の包装形態としては特に限定はないが、通常は簡便なピロー包装でよい。そして図５に示すように、積層体Ａの左半分における打ち抜き孔１２，１２に挿入するようにしてボール紙２０の上に袋Ｐを載置する。この場合、打ち抜き孔１２のところに２つの袋Ｐを並べて載置する。次いで、中央折線ａのところで積層体Ａの右半分を折り曲げ、左半分に重ねて向かい合った段ボール１０のライナー同士を糊で貼り合わせる。この場合、ブリッジ部分ｂは袋Ｐの端部を押さえるので、少なくともこのブリッジ部分ｂは糊付けしないようにする。このようにして作成されたカード収納部材Ｓは、図６に示すように、中綴製本した本Ｂの表表紙又は裏表紙の見開き部に貼着した仕様にして本Ｂと一体化する。
【００１５】
本発明のカード付き本は、図３や図６に示す形態で書店やコンビニエンスストアの店頭に並べられる。そして、カード入りの袋Ｐは、カード収納部材Ｓを破って開かない限りは取り出せないので、店頭にてカードだけを外して持ち去ることはできない。また、カード収納部材Ｓには窓があるので、本を見開いた状態で１枚目のトレーディングカードの絵柄を見ることができる。そして、トレーディングカードの絵柄と本の掲載内容との間に関連を持たせておくことにより、見る人にとって興味深いものとなる。
【００１６】
【発明の効果】
以上説明したように、本発明のカード付き本は、製本した本の表表紙又は裏表紙の見開き部に、袋入りのトレーディングカードを収納してなるカード収納部材を貼着したカード付き本であって、カード収納部材は、段ボールとボール紙の積層体をその段ボール側を内向きに二つ折りして貼り合わせることにより、段ボールに形成された打ち抜き孔の部分が向き合って形成される収納部を有するタイプのもので、段ボールの厚みはカード入りの袋よりも小さく、カード収納部材には、カード入りの袋が１つ入る収納部がその長手方向が一致するように複数並んで形成されており、表側となる一方の段ボールには収納部ごとの打ち抜き孔が間にブリッジ部分を残して形成されているとともに、貼着側となる他方の段ボールには複数の収納部に渡って１個の大きな打ち抜き孔が形成されており、一方の段ボールに積層したボール紙には中の袋が見える窓が設けられており、カード収納状態において少なくともブリッジ部分は糊付けされていないことを特徴としているので、トレーディングカードを本と一体化して販売できるため、書店やコンビニエンスストアなどの店頭における本のコーナーに並べられ、またケースを置くなどの余計なスペースを取らないので、トレーディングカードの販売促進に寄与することができ、また収納部材を破らない限りはトレーディングカードだけを外すことができないので店頭での盗難を防止することができる。
【００１７】
そして、カード収納部材に窓を設けたことにより、非透明の絵付き袋であれば袋に印刷された内容を本を開いた状態で見ることができ、さらに袋を透明或いは色付き透明とすれば、本を見開いた状態で１枚目のトレーディングカードの絵柄が見えるので、この本を見る人はトレーディングカードだけを購入する場合と同様に絵柄を確認して購入することができる。
【００１８】
また、本の掲載内容と関連のある絵柄が描かれているトレーディングカードを収納しておくことにより、見る人にとって興味深いものとなり、単にトレーディングカードを販売するよりも面白みのある商品となる。
【００１９】
そして、カード収納部材は、段ボールの打ち抜き孔のところにカード入りの袋を入れてから積層体を二つ折りして貼り合わせるだけで簡単に作成できるものであり、これを本の表表紙又は裏表紙の見開き部に貼着すればよいので、低コストでカード付き本を製造することができる。
【図面の簡単な説明】
【図１】  カード収納部材を構成する積層体の一例を示した斜視図である。
【図２】  図１に示した構成の積層体に袋入りのトレーディングカードを収納してカード収納部材を形成する手順を示す説明図である。
【図３】  図２の手順で形成したカード収納部材を一体化した本を見開いた状態で示す斜視図である。
【図４】  図１に示した積層体の変形例を示した斜視図である。
【図５】  図４に示した構成の積層体に袋入りのトレーディングカードを収納してカード収納部材を形成する手順を示す説明図である。
【図６】  図５の手順で形成したカード収納部材を一体化した本を見開いた状態で示す斜視図である。
【符号の説明】
１０  段ボール
１１，１２  打ち抜き孔
１５，１６，１７  打ち抜き孔
２０  ボール紙
２１，２２，２３  窓
Ａ  積層体
Ｂ  本
Ｐ  袋
ａ  中央折線
ｂ  ブリッジ部分
ｘ  切込み線
【図１】
0003638101.tif 000002
【図２】
0003638101.tif 000003
【図３】
0003638101.tif 000004
【図４】
0003638101.tif 000005
【図５】
0003638101.tif 000006
【図６】
0003638101.tif 000007